(57)【特許請求の範囲】
【請求項１】
複数の住居棟で構成される集合住宅に用いられるインターホンシステムであって、
前記住居棟の各々は、
各居室に設置される居室親機と、
インターホン回線を介して前記居室親機と通信可能に接続され、前記居室親機からの呼出に対して応答可能な自棟内の管理室親機と、
前記インターホン回線を介して自棟内の前記各居室の居室親機と自棟内の前記管理室親機とに通信可能に接続する棟制御部と、を備え、
前記複数の住居棟の棟制御部は、汎用プロトコルに従って通信が行われるネットワークを介して互いに接続され、
前記ネットワークには、さらに集中棟が接続され、当該集中棟は、前記複数の住居棟の各居室の居室親機との通話が可能な集中管理室親機と、インターホン回線を介して前記集中管理室親機と通信可能に接続する集中制御部と、を備え、
各住居棟の前記棟制御部は、自棟内の前記管理室親機に加えて前記集中管理室親機または他棟の管理室親機を呼出可能な特定の呼出時間帯を設定可能であり、
設定された前記呼出時間帯に前記居室親機から呼出があった場合に、自棟内の前記管理室親機は前記居室親機からの呼出信号を受信するとともに、前記棟制御部は前記居室親機からの呼出信号を受信して前記集中管理室親機または前記他棟の前記管理室親機へ当該呼出信号を送信する、インターホンシステム。
【請求項２】
各棟制御部は、自棟内の各居室親機と当該居室親機から呼出し可能な少なくとも一つの集中管理室親機または他棟の管理室親機とが対応付けられた呼出テーブルを記憶する記憶部を備え、
前記呼出テーブルは、前記各棟制御部と通信可能な設定部により設定変更される、請求項１に記載のインターホンシステム。
【請求項３】
前記呼出テーブルにおいて、前記呼出時間帯を複数設定可能である、請求項２に記載のインターホンシステム。
【請求項４】
前記自棟内の前記棟制御部と通信可能に接続された前記設定部により、前記ネットワークを介して前記他棟の前記棟制御部に記憶された呼出テーブルを設定可能である、請求項２または３に記載のインターホンシステム。
【発明の詳細な説明】
【技術分野】
【０００１】
本発明は、集合住宅に用いられるインターホンシステムに関するものである。
【背景技術】
【０００２】
従来、複数の住居棟で構成される集合住宅向けのインターホンシステムがある。このインターホンシステムの構成では、各住居棟は、インターホン回線（インターホン専用線）を介して制御機と接続されている。
【先行技術文献】
【特許文献】
【０００３】
【特許文献１】日本国特開２００４−２６０６７９号公報
【発明の概要】
【発明が解決しようとする課題】
【０００４】
上記のような多棟構成の住宅に対して、インターホンシステムを導入する場合、多棟を集中して制御する集中制御機を集中制御棟内に設置して、インターホンシステムを集中して管理している。また、各住居棟の管理室に設置された管理室親機の他に、集中制御機が設置された集中制御棟には集中制御機の制御を管理する集中管理室親機が設置されている。従来は、居室親機から各住居棟の管理室親機を呼び出した際に、管理室に管理人が不在の場合は居室親機からの呼出に応対することができなかった。【０００５】
そこで、本発明は、各住居棟の管理室親機で呼出に応対することができない場合に、他の管理室親機で呼出に応対可能なインターホンシステムを提供することを目的とする。
【課題を解決するための手段】
【０００６】
上記目的を達成するために、本発明のインターホンシステムは、
複数の住居棟で構成される集合住宅に用いられるインターホンシステムであって、
前記住居棟の各々は、
各居室に設置される居室親機と、
インターホン回線を介して前記居室親機と通信可能に接続され、前記居室親機からの呼出に対して応答可能な自棟内の管理室親機と、
前記インターホン回線を介して自棟内の前記各居室の居室親機と自棟内の前記管理室親機とに通信可能に接続する棟制御部と、を備え、
前記複数の住居棟の棟制御部は、汎用プロトコルに従って通信が行われるネットワークを介して互いに接続され、
前記ネットワークには、さらに集中棟が接続され、当該集中棟は、前記複数の住居棟の各居室の居室親機との通話が可能な集中管理室親機と、インターホン回線を介して前記集中管理室親機と通信可能に接続する集中制御部と、を備え、
各住居棟の前記棟制御部は、自棟内の前記管理室親機に加えて前記集中管理室親機または他棟の管理室親機を呼出可能な特定の呼出時間帯を設定可能であり、
設定された前記呼出時間帯に前記居室親機から呼出があった場合に、自棟内の前記管理室親機は前記居室親機からの呼出信号を受信するとともに、前記棟制御部は前記居室親機からの呼出信号を受信して前記集中管理室親機または前記他棟の前記管理室親機へ当該呼出信号を送信する。【０００７】
この構成によれば、自棟内の管理室親機で呼出に応対することができない時間帯に棟制御部による制御により集中管理室親機または異なる住居棟の管理室親機を呼び出す設定を行うことで、居室親機からの呼出に確実に応対可能となる。【０００８】
また、本発明のインターホンシステムにおいて、
各棟制御部は、自棟内の各居室親機と当該居室親機から呼出し可能な少なくとも一つの集中管理室親機または他棟の管理室親機とが対応付けられた呼出テーブルを記憶する記憶部を備え、
前記呼出テーブルは、前記各棟制御部と通信可能な設定部により設定変更されても良い。【０００９】
この構成によれば、各住居棟の棟制御部が自棟内の居室親機からの集中管理室親機呼出または他棟の管理室親機呼出のための呼出テーブルを記憶しているため、集中制御部に要求される処理能力を低く抑えることができ、コストの増加を抑制することができる。また、各棟制御部に接続された設定部により呼出テーブルを容易に設定変更することができる。【００１０】
また、本発明のインターホンシステムは、
前記呼出テーブルにおいて、前記呼出時間帯を複数設定可能であっても良い。【００１１】
この構成によれば、異なる呼出時間帯の組み合わせにより、各住居棟の状況に応じて様々な呼出パターンを作成することができる。【００１２】
また、本発明のインターホンシステムは、
前記自棟内の前記棟制御部と通信可能に接続された前記設定部により、前記ネットワークを介して前記他棟の前記棟制御部に記憶された呼出テーブルを設定可能であっても良い。【００１３】
この構成によれば、１つの住居棟の棟制御部に接続された設定部によってすべての住居棟の呼出テーブルを設定することができるため、作業効率を大きく向上させることができる。
【発明の効果】
【００１４】
本発明のインターホンシステムによれば、各住居棟の管理室親機で呼出に応対することができない場合に、他の管理室親機で呼出に応対することができる。
【図面の簡単な説明】
【００１５】
【図１】本発明の実施形態に係るインターホンシステムの構成図である。
【図２】（ａ）は棟制御部の機能ブロック図であり、（ｂ）は棟制御機の機能ブロック図である。
【図３】棟制御部に記憶されている呼出テーブルの一例を示す図である。
【図４】管理室親機を呼出可能な呼出時間帯の設定例を示す図である。
【図５】管理室呼出信号の流れを説明する図である。
【発明を実施するための形態】
【００１６】
以下、本実施形態の一例について、図面を参照して説明する。
図１に示すように、インターホンシステム１は、複数の住居棟（本例では住居Ａ棟〜住居Ｅ棟）で構成されるマンション等の集合住宅に用いられるシステムである。インターホンシステム１は、住居Ａ棟〜住居Ｅ棟の各々の棟に、居室親機１０と、管理室親機２０と、集合玄関機３０と、棟制御部４０とを備えている。本例の図１では、住居Ａ棟のみに上記各構成を示している。
【００１７】
各住居棟は、汎用プロトコルに従って通信が行われるネットワークＮ（本例では、ＬＡＮ：Local Area Network）を介して互いに接続されている。また、インターホンシステム１には、構成が同様な管理センターＦ，Ｇ（集中棟の一例）が設けられており、ネットワークＮを介して各住居棟と接続されている。なお、管理センターの数は、複数であっても単数であっても良い。
【００１８】
居室親機１０は、集合住宅の各住居内に設置されている。居室親機１０は、管理室を呼び出すための管理室ボタン１０１を備えている。また、居室親機１０は、管理人や訪問者などと通話するための通話部１０２、居住者に対するメッセージや、訪問者の映像などが表示される表示部１０３等を備えている。居室親機１０は、例えば集合玄関機３０や管理室親機２０からの呼び出しに対して応答できるように構成されている。また、居室親機１０は、例えば自棟内の管理室親機２０、管理センターの集中管理室親機５０（後述する）、および他の住居棟（他棟）の管理室親機２０を呼び出すことができるように構成されている。各居室親機１０には、その居室機を特定する情報（例えば居室親機ＩＤ：identification）が記憶されている。居室親機１０は、インターホン回線（インターホン専用線）Ｌ１を介して棟制御部４０と、インターホン回線Ｌ１，Ｌ２を介して管理室親機２０と、インターホン回線Ｌ１，Ｌ３を介して集合玄関機３０と通信可能に接続されている。なお、居室親機１０と管理室親機２０とを棟制御部４０を介さずに直接インターホン回線で接続することも可能である。この場合、居室親機１０は、棟制御部４０を中継することなく、管理室親機２０と通信可能に接続される。
【００１９】
管理室親機２０は、各住居棟の管理室に設置されている。管理室は、各住居棟に複数設けられていても良いし単数であっても良い。管理室親機２０は、居室親機１０を呼び出すために操作する操作部２０１、居住者や訪問者などと通話するための通話部２０２、管理人に対するメッセージや、訪問者の映像などが表示される表示部２０３等を備えている。管理室親機２０は、例えば自棟内の任意の居室親機１０を呼び出すことができるように構成されている。また、管理室親機２０は、例えば居室親機１０に居る居住者や、集合玄関機３０に居る訪問者と通話可能に構成されている。管理室親機２０は、インターホン回線Ｌ２を介して棟制御部４０と、インターホン回線Ｌ２、Ｌ３を介して集合玄関機３０と通信可能に接続されている。
【００２０】
集合玄関機３０は、各住居棟の集合玄関や共用スペースに設置されている。集合玄関機３０は、呼出部３０１と、カメラ３０２と、集合玄関表示部３０３と、通話部３０４等を備えている。集合玄関機３０は、例えば自棟内の任意の居室親機１０や自棟内の管理室親機２０を呼び出すことができるように構成されている。集合玄関機３０は、インターホン回線Ｌ３を介して棟制御部４０と通信可能に接続されている。なお、集合玄関機３０についても、棟制御部４０を介さずに、居室親機１０や管理室親機２０と直接インターホン回線で接続されても良い。
【００２１】
棟制御部４０は、インターホン回線Ｌ１〜Ｌ３を介してそれぞれ接続されている居室親機１０、管理室親機２０、および集合玄関機３０との間の通信等を制御している。また、棟制御部４０は、ネットワークＮを介して、他の住居棟（本例では住居Ｂ棟〜住居Ｅ棟）の棟制御部４０、および各管理センター（ここでは、管理センターＦ，Ｇ）の集中制御部７０（後述する）と通信可能に接続されている。また、棟制御部４０は、無線通信（例えばＮＦＣ：Near Field Communication，Bluetooth（登録商標）等）により、外部機器８０（例えばＰＣ：Personal Computer等）と通信可能に接続されうる。あるいは、棟制御部４０は、ネットワークＮを介して、外部機器８０と通信可能に接続されうる。
【００２２】
管理センターＦ，Ｇは、住居Ａ棟〜住居Ｅ棟までの集合住宅全体を管理することができるように構成されている。各管理センターＦ，Ｇには、集中管理室親機５０と、集中集合玄関機６０と、集中制御部７０とが設けられている。本例の図１では、管理センターＦのみに上記各構成を示している。
【００２３】
集中管理室親機５０は、管理センターＦの管理室に設置されている。管理室は、管理センターＦに複数設けられていても良いし単数であっても良い。集中管理室親機５０は、居室親機１０を呼び出すためなどに操作する操作部５０１、居住者や訪問者などと通話するための通話部５０２、管理人に対するメッセージや、訪問者の映像などが表示される表示部５０３等を備えている。集中管理室親機５０は、例えば各住居棟の居室親機１０を呼び出すことができるように構成されている。また、集中管理室親機５０は、例えば居室親機１０に居る居住者や、集中集合玄関機６０に居る訪問者などと通話可能に構成されている。集中管理室親機５０は、インターホン回線Ｌ４を介して集中制御部７０と、インターホン回線Ｌ４、Ｌ５を介して集中集合玄関機６０と通信可能に接続されている。
【００２４】
集中集合玄関機６０は、管理センターＦの玄関に設置されている。集中集合玄関機６０は、呼出部６０１、表示部６０２、カメラ６０３、通話部６０４等を有している。集中集合玄関機６０は、例えば各住居棟の任意の居室親機１０や管理センターＦの集中管理室親機５０を呼び出すことができるように構成されている。集中集合玄関機６０は、インターホン回線Ｌ５を介して集中制御部７０と通信可能に接続されている。
【００２５】
集中制御部７０は、例えばインターホン回線を介して接続されている集中管理室親機５０、および集中集合玄関機６０との間の通信の送受を制御している。また、集中制御部７０は、ネットワークＮを介して、住居Ａ棟〜住居Ｅ棟の各棟制御部４０、および他の管理センター（例えば管理センターＧ）の集中制御部７０と通信可能に接続されている。
【００２６】
図２（ａ）に示すように、棟制御部４０は、棟制御機４１０と、映像制御機４２０と、オーディオ制御機４３０と、棟制御部インターフェース４４０（以下、インターフェースをＩ／Ｆと称する）とを備えている。また、図２（ｂ）に示すように、棟制御機４１０は、記憶部４１１と、タイマー４１２と、棟制御機ＣＰＵ４１３と、信号変換部４１４とを備えている。
【００２７】
棟制御機４１０の記憶部４１１には、自棟内の各居室の部屋番号と、各居室の居住者の氏名や各居室の名称（例えばテナント名等）と、各居室の居室親機１０を特定する居室親機ＩＤと、が対応付けられた管理テーブル（図示省略）が記憶されている。また、記憶部４１１には、自棟内の居室親機１０と、自棟内の居室親機１０から呼出し可能な管理センターの集中管理室親機５０または他の住居棟の管理室親機２０と、が対応付けられた呼出テーブル（例えば、図３を参照して後述する住居Ａ棟の呼出テーブルＴＡ）が記憶されている。
【００２８】
タイマー４１２は、現在の時刻（××時××分××秒）を計測する。
棟制御機ＣＰＵ４１３は、棟制御機４１０を構成する各部を制御するための処理を行う。棟制御機ＣＰＵ４１３は、例えば自棟内の居室親機１０から送信されてきた管理室を呼出すための管理室呼出信号と記憶部４１１に記憶されている呼出テーブルＴＡとに基づいて管理室呼出信号の送信先を決定する。また、棟制御機ＣＰＵ４１３は、例えば外部機器８０から取得した管理テーブルや呼出テーブルＴＡを記憶部４１１に記憶させる。
【００２９】
信号変換部４１４は、インターホン回線Ｌ１〜Ｌ３で使用される信号とネットワークＮで使用される信号とを相互に変換処理するための回路である。信号変換部４１４は、アナログデジタル変換部４１４Ａ（以下、アナログデジタルをＡ／Ｄと称する）と、デジタルアナログ変換部４１４Ｂ（以下、デジタルアナログをＤ／Ａと称する）とを有する。
【００３０】
Ａ／Ｄ変換部４１４Ａは、各々の住宅棟内におけるインターホン回線Ｌ１〜Ｌ３で通信可能なアナログ信号を、各住居棟間および住居棟と管理センター間におけるネットワークＮで通信可能なデジタル信号に変換する。一方、Ｄ／Ａ変換部４１４Ｂは、各住居棟間および住居棟と管理センター間におけるネットワークＮで通信可能なデジタル信号を、各々の住宅棟内におけるインターホン回線で通信可能なアナログ信号に変換する。
【００３１】
映像制御機４２０は、集合玄関機３０のカメラ３０２で撮像された映像信号や、管理センターから送信されてきた映像信号を信号処理するとともに、処理した映像信号を自棟内の各居室親機１０、あるいは管理室親機２０に向けて送信する。オーディオ制御機４３０は、集合玄関機３０の通話部３０４からの音声信号や、管理室親機２０の通話部２０２からの音声信号や、管理センターから送信されてきた音声信号を音声処理するとともに、処理した音声信号を自棟内の居室親機１０、あるいは管理室親機２０に向けて送信する。
【００３２】
棟制御部Ｉ／Ｆ４４０は、棟制御機４１０、映像制御機４２０、およびオーディオ制御機４３０とインターホン回線Ｌ１〜Ｌ３間における双方向の信号伝送路を形成する。
【００３３】
なお、図示は省略するが、管理室親機２０も棟制御部４０と同様に、管理テーブルや呼出テーブルが記憶された記憶部を有している。また、管理センターの集中制御部７０も棟制御部４０と同様に、信号変換部（A/D変換部，D/A変換部）を有しており、インターホン回線Ｌ４，Ｌ５で通信可能なアナログ信号とネットワークＮで通信可能なデジタル信号とを相互に変換する。
【００３４】
次に、図３，図４を参照して、呼出テーブルについて説明する、
呼出テーブルにおいて、居室親機１０と居室親機１０から呼出すことができる管理室親機とは、以下のように対応付けられている。
【００３５】
例えば図３に示す住居Ａ棟の呼出テーブルＴＡでは、自棟内の居室親機１０で「管理室ボタン」１０１が押された場合、「呼出時間１」と「呼出時間２」に示される複数の呼出時間帯において、自棟内の管理室親機２０に加えて、管理センターＦ，Ｇの集中管理室親機５０と他の住居棟（住居Ｂ棟〜住居Ｅ棟）の管理室親機２０とが呼び出されるように対応付けられている。
【００３６】
呼出テーブルは、管理センターの集中管理室親機５０と他の住居棟の管理室親機２０とが呼び出される呼出時間帯を予め設定することができるように構成されている。本例において、呼出テーブルＴＡの呼出時間帯は、呼出時間１が17:00〜09:00に設定され、呼出時間２が12:00〜13:00に設定されている。
【００３７】
また、呼出テーブルは、上記の呼出時間１および呼出時間２のそれぞれについて、自棟内の管理室親機２０に加えて呼出される集中管理室親機５０および他の住居棟の管理室親機２０を予め設定することができるように構成されている。本例の呼出テーブルＴＡでは、呼出時間１に呼び出される管理室親機は、管理センターＦ，Ｇの集中管理室親機５０と、住居Ｂ棟の管理室親機２０に設定されている。また、呼出時間２に呼び出される管理室親機は、管理センターＦの集中管理室親機５０と、住居Ｂ棟〜住居Ｄ棟の管理室親機２０に設定されている。すなわち、図４に示す設定例１のように、呼出テーブルＴＡでは、夜間帯（17:00〜09:00）に住居Ａ棟の居室親機１０から管理室親機２０の呼出しがあった場合には、住居Ａ棟の管理室親機２０に加えて、管理センターＦの集中管理室親機５０、管理センターＧの集中管理室親機５０および住居Ｂ棟の管理室親機２０が呼び出されるように設定されている。また、昼休み（12：00〜13：00）に呼出があった場合には、住居Ａ棟の管理室親機２０に加えて、管理センターＦの集中管理室親機５０および住居Ｂ棟〜住居Ｄ棟の管理室親機２０が呼び出されるように設定されている。
なお、管理センターＦ，Ｇ内に複数の集中管理室親機５０が設置されている場合、あるいは住居Ｂ棟〜住居Ｅ棟内に複数の管理室親機２０が設置されている場合には、集中管理室親機５０毎あるいは管理室親機２０毎に呼出しの有無を設定するようにしても良い。
【００３８】
呼出時間帯は、図３および図４に示す設定例１で設定された呼出時間１および呼出時間２の他に、例えば図４の設定例２〜設定例４のように設定しても良い。設定例２は、呼出時間１が09:00〜12:00に設定され、呼出時間２が13:00〜17:00に設定されている。すなわち、設定例２では、昼休み（12:00〜13:00）以外の午前９時〜午後５時の間に管理室の呼出しがあった場合には、集中管理室親機５０および他の住居棟の管理室親機２０も呼び出されるように設定されている。設定例３は、呼出時間１が00:00〜00:00に設定され、呼出時間２が設定されていない。すなわち、設定例３では、管理室の呼出しがあった場合には必ず集中管理室親機５０および他の住居棟の管理室親機２０も呼び出されるように設定されている。設定例４は、呼出時間１も呼出時間２も設定されていない。すなわち、設定例４では、管理室の呼出しがあっても集中管理室親機５０および他の住居棟の管理室親機２０は呼び出されないように設定されている。
【００３９】
なお、呼出時間帯は、「呼出時間１」と「呼出時間２」の２つに限定されず、各住居棟における管理室の対応可否の状況に応じて追加しても良く、１つの呼出時間帯のみが設定可能であっても良い。また、上記のような構成を有する呼出テーブルは、住居棟毎に設定されて、各棟制御部４０の記憶部４１１に記憶されている。
【００４０】
呼出テーブルの各データは、棟制御部４０の棟制御機ＣＰＵ４１３と通信可能な外部機器８０（設定部の一例）を通じて設定変更することができるように構成されている。設定部としては、外部機器８０の他に例えば棟制御部４０自体に設定操作部を設ける構成としても良い。例えば外部機器８０を用いて設定する場合には、設定ツールにしたがって外部機器８０で呼出テーブルを設定しておき、無線通信により外部機器８０と棟制御部４０とを接続して、外部機器８０から棟制御部４０に呼出テーブルを送信するようにしても良い。また、外部機器８０が接続された住居棟の棟制御部４０からネットワークＮを介して、他の住居棟の棟制御部４０に対して、設定した各住居棟の呼出テーブルを送信するようにしても良い。
【００４１】
次に、インターホンシステム１の動作について図５を参照して説明する。
例えば住居Ａ棟における101号室の居室親機１０で「管理室ボタン」１０１（図１参照）が押された場合、以下のように動作する。図５においては、住居Ａ棟における居室親機１０と管理室親機２０とは棟制御部４０を介さずにインターホン回線で直接に接続されている構成を示している。
【００４２】
管理室ボタン１０１が押されると、管理室を呼出す管理室呼出信号と101号室の居室親機１０を特定する居室親機ＩＤとが、矢印９１〜９３で示すようにインターホン回線を介して、101号室の居室親機１０から住居Ａ棟内の管理室親機２０および住居Ａ棟内の棟制御部４０に送信される。
【００４３】
住居Ａ棟の管理室親機２０は、管理室呼出信号と居室親機ＩＤを居室親機１０から直接（すなわち、棟制御部４０を介することなく）受信する。当該管理室親機２０は管理室呼出信号と居室親機ＩＤを受信すると、自己が記憶している呼出テーブルに基づいて、管理室が居室親機１０から呼出しされていることを判別する。その後、管理室親機２０は、呼出音を発するとともに、例えば呼出元が101号室である旨を表示部２０３に表示して報知する。
【００４４】
住居Ａ棟の棟制御部４０は、管理室呼出信号と居室親機ＩＤを受信すると、現在の時間が予め設定されている呼出時間帯であるか否か呼出テーブルＴＡ（図３参照）を参照して判断する。現在の時間が例えば呼出時間１（17:00〜09:00）内の時間である場合、棟制御部４０は、呼出テーブルＴＡに基づいて、管理室呼出信号と居室親機ＩＤとを送信する送信先を決定する。棟制御部４０は、決定した送信先である管理センターＦ，Ｇの集中管理室親機５０および住居Ｂ棟の管理室親機２０に向けて、矢印９４〜９９で示すようにネットワークＮを介して、管理室呼出信号と居室親機ＩＤとを送信する。
【００４５】
管理センターＦ，Ｇの集中制御部７０は、住居Ａ棟の棟制御部４０から送信されてきた管理室呼出信号と居室親機ＩＤを、それぞれ自管理センター内の集中管理室親機５０に送信する。集中管理室親機５０は、管理室呼出信号と居室親機ＩＤを受信すると、呼出音を発して報知する。
【００４６】
住居Ｂ棟の棟制御部４０は、住居Ａ棟の棟制御部４０から送信されてきた管理室呼出信号と居室親機ＩＤを、自棟内の管理室親機２０に送信する。住居Ｂ棟の管理室親機２０は、管理室呼出信号と居室親機ＩＤを受信すると、呼出音を発して報知する。
【００４７】
また、現在の時間が例えば呼出時間２（12:00〜13:00）内の時間である場合、棟制御部４０は、上記と同様に、呼出テーブルＴＡに基づいて送信先を決定し、送信先である管理センターＦの集中管理室親機５０および住居Ｂ棟〜住居Ｄ棟の管理室親機２０に向けて、ネットワークＮを介して、管理室呼出信号と居室親機ＩＤとを送信する。
以降の管理センターＦおよび住居Ｂ棟〜住居Ｄ棟における動作は、上記管理センターＦ，Ｇおよび住居Ｂ棟と同様である。
【００４８】
このようなインターホンシステム１によれば、居室親機１０からの管理室呼出しに自棟内の管理室親機２０で応対することができない時間帯がある場合、その時間帯に管理センターの集中管理室親機５０または別の住居棟（他棟）の管理室親機２０を呼出すように設定することができる。このため、自棟内の管理室親機２０で呼出しに応対できない状況が生じても、他の管理室でその呼出しに確実に応対することができる。
【００４９】
また、集中管理室親機５０や別の住居棟の管理室親機２０を呼出す呼出時間帯の設定は、任意の呼出時間帯毎に複数設定することが可能である。このため、異なる呼出時間帯の組み合わせにより、各住居棟の状況に応じて様々な呼出パターン（例えば、図４の設定例１〜４）を作成することができる。
【００５０】
また、各住居棟の棟制御部４０が自棟内の居室親機１０から集中管理室親機５０を呼出すためまたは他棟の管理室親機２０を呼出すための呼出テーブル（例えば、図３の呼出テーブルＴＡ）を記憶している。このため、システム全体の制御を各棟制御部４０で分散して制御することができるので、管理センターＦ，Ｇの集中制御部７０に要求される処理能力を低く抑えることができ、コストの増加を抑制することができる。
【００５１】
また、ある特定の住居棟の棟制御部４０に通信可能に接続された例えば外部機器８０により、自棟内の呼出テーブルを設定することができるだけでなく、ネットワークＮで接続された他の住居棟の呼出テーブルを設定することができる。このため、呼出テーブルの設定変更を短時間かつ容易に行うことができ、作業効率を大きく向上させることができる。
【００５２】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００５３】
例えば、上記形態では居室親機１０が管理室親機２０を呼び出す場合について説明したが、これに限定されず、集合玄関機３０が管理室親機２０を呼び出す場合、集中集合玄関機６０が集中管理室親機５０を呼び出す場合にも同様に設定された呼出時間帯に応じた管理室親機の呼び分けを行うようにしても良い。
【符号の説明】
【００５４】
１：インターホンシステム、１０：居室親機、２０：管理室親機、３０：集合玄関機、４０：棟制御部、５０：集中管理室親機、６０：集中集合玄関機、７０：集中制御部、８０：外部機器（設定部の一例）、１０１：管理室ボタン、１０２：通話部、１０３：表示部、２０１：操作部、２０２：通話部、２０３：表示部、４１０：棟制御機、４１１：記憶部、４１２：タイマー、４１３：棟制御機ＣＰＵ、４１４：信号変換部
【図１】
0006592185.tif 000002
【図２】
0006592185.tif 000003
【図３】
0006592185.tif 000004
【図４】
0006592185.tif 000005
【図５】
0006592185.tif 000006